(57)【要約】【課題】必然性のあるハンドオーバの失敗を抑制することができるログ集計装置、ログ集計方法およびログ集計プログラムを提供する。【解決手段】ログ集計装置（一例として、ピンポンハンドオーバログ集計装置１）は、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するハンドオーバ実施要否判定部１４を備える、ことを特徴とする。【選択図】図１
2013197969.tif 000002
【特許請求の範囲】
【請求項１】
あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するハンドオーバ実施要否判定部を備える、
ことを特徴とするログ集計装置。
【請求項２】
前記ピンポンハンドオーバであると判定された一連のハンドオーバにおけるあらかじめ定められた２以上のハンドオーバとして、前記ピンポンハンドオーバであると判定された一連のハンドオーバにおける最後から１番目のハンドオーバおよび最後から２番目のハンドオーバを用いる、
ことを特徴とする請求項１に記載のログ集計装置。
【請求項３】
前記ピンポンハンドオーバであると判定された一連のハンドオーバにおけるあらかじめ定められた２以上のハンドオーバとして、前記ピンポンハンドオーバであると判定された一連のハンドオーバにおける最初から１番目のハンドオーバおよび最初から２番目のハンドオーバを用いる、
ことを特徴とする請求項１に記載のログ集計装置。
【請求項４】
前記ピンポンハンドオーバであると判定された一連のハンドオーバにおけるあらかじめ定められた２以上のハンドオーバとして、前記ピンポンハンドオーバであると判定された一連のハンドオーバにおける複数回の連続するハンドオーバのそれぞれを用いる、
ことを特徴とする請求項１に記載のログ集計装置。
【請求項５】
前記ピンポンハンドオーバであると判定された一連のハンドオーバにおけるあらかじめ定められた２以上のハンドオーバとして、前記ピンポンハンドオーバであると判定された一連のハンドオーバにおける複数回のハンドオーバの全ての組み合わせを用いる、
ことを特徴とする請求項１に記載のログ集計装置。
【請求項６】
前記ハンドオーバ実施要否判定部は、前記端末のハンドオーバを実施した状況があらかじめ定められた条件を満たす場合として、前記端末のハンドオーバを実施した場所の距離があらかじめ定められた閾値以上である場合を用いる、
ことを特徴とする請求項１から請求項５のいずれか１項に記載のログ集計装置。
【請求項７】
前記ハンドオーバ実施要否判定部は、前記端末のハンドオーバを実施した状況があらかじめ定められた条件を満たす場合として、前記端末のハンドオーバを実施した間における当該端末の移動距離があらかじめ定められた閾値以上である場合を用いる、
ことを特徴とする請求項１から請求項６のいずれか１項に記載のログ集計装置。
【請求項８】
前記ハンドオーバ実施要否判定部は、前記端末のハンドオーバを実施した状況があらかじめ定められた条件を満たす場合として、前記端末のハンドオーバを実施した間における当該端末の移動速度があらかじめ定められた閾値以上である場合を用いる、
ことを特徴とする請求項１から請求項７のいずれか１項に記載のログ集計装置。
【請求項９】
前記ハンドオーバ実施要否判定部は、前記端末のハンドオーバを実施した状況があらかじめ定められた条件を満たす場合として、前記端末のハンドオーバを実施した場所で測定された所望電波の到来方向があらかじめ定められた閾値以上異なる場合を用いる、
ことを特徴とする請求項１から請求項８のいずれか１項に記載のログ集計装置。
【請求項１０】
前記ハンドオーバ実施要否判定部は、前記端末のハンドオーバを実施した状況があらかじめ定められた条件を満たす場合として、前記ピンポンハンドオーバであると判定された一連のハンドオーバにおけるハンドオーバの発生回数が２回以下である場合を用いる、
ことを特徴とする請求項１から請求項９のいずれか１項に記載のログ集計装置。
【請求項１１】
前記あらかじめ定められたハンドオーバの現象として、一の基地局から他の基地局へハンドオーバした端末が一定時間内に元の前記一の基地局にハンドオーバで戻る現象を、ピンポンハンドオーバとする、
ことを特徴とする請求項１から請求項１０のいずれか１項に記載のログ集計装置。
【請求項１２】
前記あらかじめ定められたハンドオーバの現象として、所定の基地局間のハンドオーバが一定時間内に一定回数以上実行される現象を、ピンポンハンドオーバとする、
ことを特徴とする請求項１から請求項１０のいずれか１項に記載のログ集計装置。
【請求項１３】
ハンドオーバ実施要否判定部が、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外する、
ことを特徴とするログ集計方法。
【請求項１４】
ハンドオーバ実施要否判定部が、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するステップを、
コンピュータに実行させるためのログ集計プログラム。
【発明の詳細な説明】
【技術分野】
【０００１】
本発明は、ログ集計装置、ログ集計方法およびログ集計プログラムに関する。
【背景技術】
【０００２】
図４は、ＬＴＥにおけるハンドオーバおよびその実施条件の例を示す図である。
図４は、第１の基地局（基地局＃１）と、第２の基地局（基地局＃２）と、基地局＃１の通信エリア（エリア＃１）と、基地局＃２の通信エリア（エリア＃２）と、移動端末１１１１−１、１１１１−２を示す。
ここで、移動前の移動端末１１１１−１と移動後の移動端末１１１１−２は、同一の移動端末を表し、異なる位置に存在する場合を表す。
【０００３】
移動端末１１１１−１（移動端末１１１１−２）について、基地局＃１のエリア＃１から基地局＃２のエリア＃２へのハンドオーバ（ＨＯ）に関して、次の（１）〜（５）の処理が行われる。
（１）基地局＃１が、移動端末１１１１−１に対して、ハンドオーバ要求（ＨＯ要求）の送信条件を指定する。
（２）移動端末１１１１−１が、指定されたＨＯ要求の送信条件が満たされた場合に、ＨＯ要求を送信する。
（３）ＨＯ要求を受信した基地局＃１が、移動端末１１１１−２に対して、ハンドオーバ指示（ＨＯ指示）を行う。
（４）ハンドオーバを実行（ＨＯ実行）する。
（５）移動端末１１１１−２が、基地局＃２に対して、ハンドオーバの完了（ＨＯ完了）を報告する。
【０００４】
図４には、横軸に時間を表し、縦軸に接続セルの電力の特性１１０１および隣接セルの電力の特性１１０２を表すグラフを示してある。
接続セルは、移動端末が接続している基地局（接続基地局）のセルのことであり、また、隣接セルは、接続セルに対して隣接するとされるセルを有する基地局（隣接基地局）の当該セルのことである。
なお、複数のセルを有する同一の基地局の２つのセルが接続セルと隣接セルになることもあり得るが、ここでは、異なる基地局のセルをそれぞれ接続セル、隣接セルとして、説明する。
【０００５】
移動端末がハンドオーバ要求を送信する条件としては、次の＜送信条件（１）＞、＜送信条件（２）＞がある。
＜送信条件（１）＞
隣接基地局（隣接セル）と接続基地局（接続セル）との電力差（ハンドオーバマージン）が所定の閾値以上となる、という送信条件がある。なお、電力値の差である電力差の代わりに、電力品質値の差である電力品質差を用いることもできる。
＜送信条件（２）＞
前記した＜送信条件（１）＞の状態が所定の時間（一定時間）以上満たされる、という送信条件がある。
【０００６】
ここで、ハンドオーバマージンは、（隣接基地局（隣接セル）からの受信電力値もしくは受信電力品質値）から（接続基地局（接続セル）からの受信電力値もしくは受信電力品質値）を減算した結果である。
ハンドオーバマージンの閾値を小さい値に設定すると、ハンドオーバのタイミングが早くなり、逆に、ハンドオーバマージンの閾値を大きい値に設定すると、ハンドオーバのタイミングが遅くなる。
【０００７】
ＬＴＥでは、移動端末がハンドオーバ要求として送信したＭＲ（Ｍｅａｓｕｒｅｍｅｎｔ  Ｒｅｐｏｒｔ）を基地局が受信することを契機として、ハンドオーバ処理が行われる。
ＭＲには送信判定条件が異なる複数の種類が定義されているが、ここでは、その中でハンドオーバ処理の判定に利用されることが多いＡ３  ＭＲについて説明する。
Ａ３  ＭＲは、式（１）の条件式が一定期間（ＴＴＴ：Ｔｉｍｅ  Ｔｏ  Ｔｒｉｇｇｅｒ）以上満たされるときに、移動端末から接続基地局へ送信される（例えば、非特許文献１参照。）。
【０００８】
【数１】
2013197969.tif 000003
【０００９】
ここで、式（１）に関し、ｓおよびｎは、それぞれ、接続基地局および隣接基地局を表す基地局ＩＤである。
Ｍ（ｓ，ｓ）およびＭ（ｓ，ｎ）は、それぞれ、移動端末が観測した接続基地局ｓおよび隣接基地局ｎに関する電力値（ＲＳＲＰ：Ｒｅｆｅｒｅｎｃｅ  Ｓｉｇｎａｌ  Ｒｅｃｅｉｖｅｄ  Ｐｏｗｅｒ）［ｄＢｍ］または電力品質値（ＲＳＲＱ：Ｒｅｆｅｒｅｎｃｅ  Ｓｉｇｎａｌ  Ｒｅｃｅｉｖｅｄ  Ｑｕａｌｉｔｙ）［ｄＢ］である。
【００１０】
また、式（１）に関し、前記したＭ（ｓ，ｓ）およびＭ（ｓ，ｎ）以外の変数は、オペレータが設定することが可能なシステムパラメータである。
具体的には、Ｏｆ（ｓ，ｓ）、 Ｏｃ（ｓ，ｓ）は、それぞれ、接続基地局ｓの周波数に応じて設定するオフセット値および接続基地局ｓに固有なオフセット値である。
同様に、Ｏｆ（ｓ，ｎ），Ｏｃ（ｓ，ｎ）は、それぞれ、隣接基地局ｎの周波数に応じて設定するオフセット値および接続基地局ｓが隣接基地局ｎごとに設定するオフセット値（セル個別オフセット値）である。
また、Ｈｙｓ（ｓ）およびＯｆｆＡ３（ｓ）は、接続基地局ｓごとに設定するパラメータであり、それぞれ、ヒステリシスと呼ばれるオフセット値およびＡ３  ＭＲに固有なオフセット値である。
【００１１】
移動無線通信システムにおいて、移動端末の通信性能を劣化させる要因の一つに、ピンポン（Ｐｉｎｇ−Ｐｏｎｇ）ハンドオーバがある。
図５は、ピンポンハンドオーバの例を示す図である。
図５は、第１の基地局（基地局＃１）と、第２の基地局（基地局＃２）と、基地局＃１の通信エリア（エリア＃１）と、基地局＃２の通信エリア（エリア＃２）と、移動端末１２０１を示す。
【００１２】
また、図５は、基地局＃２の記憶部（例えば、メモリ）に記憶されるＵＥヒストリーテーブル（ＵＥ  Ｈｉｓｔｏｒｙ  Ｔａｂｌｅ）１２１１の一例を示す。
ＵＥヒストリーテーブル１２１１には、対象となる移動端末（ＵＥ）について、当該移動端末が過去に接続したセルの識別情報（ＩＤ）と、その接続時間とが、対応付けられて格納される。
【００１３】
図５に示されるように、ピンポンハンドオーバは、基地局の通信エリアの境界付近に滞在する移動端末が無線環境の瞬時的な変動に追従して接続基地局を頻繁に切り替える現象である。ピンポンハンドオーバが生じると、ハンドオーバ処理に伴う通信遅延が発生する。
【００１４】
ピンポンハンドオーバは、基本的には不必要なハンドオーバであり、特に決まった定義はないが、例えば、以下のような定義（定義１〜定義２）が考えられる。
ピンポンハンドオーバの（定義１）では、ピンポンハンドオーバは、ある基地局（例えば、基地局＃１）から他の基地局へハンドオーバした移動端末が、一定時間内に、元の基地局（この例では、基地局＃１）へハンドオーバで戻る、ことが生じるハンドオーバである。
ピンポンハンドオーバの（定義２）では、ピンポンハンドオーバは、ある基地局（例えば、基地局＃１）と他の基地局（例えば、基地局＃２）との間のハンドオーバが、一定時間内に、一定回数以上、実行される、ことが生じるハンドオーバである。
【００１５】
このように、ピンポンハンドオーバでは、例えば、移動端末が２以上の特定の基地局の間で頻繁に接続局を切り替えるようなことが生じる。
ここで、ピンポンハンドオーバの発生を抑制する方法として、ピンポンハンドオーバの発生をログ集計し、その発生頻度に応じてハンドオーバ（接続局の切り替え）のタイミングを遅くする方法がある。
ハンドオーバのタイミングは、例えば、条件式である式（１）におけるシステムパラメータを調整することで変更することが可能である。
【００１６】
ハンドオーバの実行時に、ハンドオーバ先の基地局は、該当する移動端末に関する過去の基地局接続履歴を参照することができる。
このような接続履歴は、一般に、ＵＥヒストリーテーブルと呼ばれている。図５に示されるように、ＵＥヒストリーテーブル（例えば、図５に示されるＵＥヒストリーテーブル１２１１）には、移動端末が過去に接続したセルのＩＤと、そのセルでの接続時間が記録されている。
基地局は、ＵＥヒストリーテーブルを参照して、ピンポンハンドオーバの発生を検知し、その結果をログとして記録することができる。
【００１７】
ここで、ある移動端末に関するＵＥヒストリーテーブルの情報は、当該移動端末がある基地局（ここで、基地局Ａと言う）から他の基地局（ここで、基地局Ｂと言う）へハンドオーバするときに、基地局Ａから基地局Ｂに、例えば、ネットワークを介して、送信される。このときに、基地局Ａは、その移動端末が当該基地局Ａと接続していた時間の情報をＵＥヒストリーテーブルに追加した後に、当該ＵＥヒストリーテーブルを基地局Ｂに送信して渡す。
【先行技術文献】
【非特許文献】
【００１８】
【非特許文献１】３ＧＰＰ  ＴＳ３６．３３１，ｖ９．３．０．２０１０−０６．
【発明の概要】
【発明が解決しようとする課題】
【００１９】
しかしながら、上記した背景技術で示したピンポンハンドオーバの発生検知方法では、移動端末の移動に伴う必然的なハンドオーバに関しても、不必要なハンドオーバであるとしてカウントしてしまう可能性があった。例えば、必然性のあるハンドオーバに基づいてピンポンハンドオーバの抑制制御を実施した場合には、一般に、ピンポンハンドオーバの抑制とハンドオーバ失敗の抑制とはトレードオフの関係にあるため、必然性のあるハンドオーバのハンドオーバ失敗が増加するという問題があった。
【００２０】
図６は、セルインセル（Ｃｅｌｌ  ｉｎ  Ｃｅｌｌ）の場合におけるハンドオーバの一例を示す図である。
図６は、第１の基地局（基地局＃１）と、第２の基地局（基地局＃２）と、基地局＃１の通信エリア（エリア＃１）と、基地局＃２の通信エリア（エリア＃２）と、移動端末１３０１を示す。
この例では、基地局＃１のカバレッジ範囲（エリア＃１）の内に、基地局＃２のカバレッジ範囲（エリア＃２）が含まれる。
そして、移動端末１３０１は、ポイントＡにおいて、基地局＃１から基地局＃２へハンドオーバし、また、ポイントＢにおいて、基地局＃２から基地局＃１へハンドオーバする。これは、移動端末１３０１の移動に伴う必然性のあるハンドオーバである。
【００２１】
このように、特に、ある基地局（例えば、基地局＃１）のカバレッジ範囲内に、カバレッジがより狭い小型の基地局（例えば、基地局＃２）を設置するような場合に、小型の基地局（この例では、基地局＃２）はカバレッジ範囲が狭いため、移動端末１３０１は比較的短い時間内に小型の基地局（この例では、基地局＃２）のカバレッジ範囲を通過することが生じ得る。このとき、移動端末１３０１は、基地局（この例では、基地局＃１）から小型の基地局（この例では、基地局＃２）へハンドオーバした後に、短い時間内に、小型の基地局（この例では、基地局＃２）から元の基地局（この例では、基地局＃１）へのハンドオーバを実行することになり、これがピンポンハンドオーバであると判定される可能性があり、ピンポンハンドオーバの定義に応じてこの可能性が高い。
【００２２】
しかし、このようなハンドオーバは、移動端末１３０１の移動に伴う必然性のあるハンドオーバであり、仮に、ピンポンハンドオーバであると判定してハンドオーバのタイミングを遅らせると、ハンドオーバの実行前に接続基地局の受信電力が所要品質を下回ると通信が切断されてしまうことから、ハンドオーバの失敗が増加する可能性がある。
【００２３】
本発明は、このような事情を考慮してなされたもので、必然性のあるハンドオーバの失敗を抑制することができるログ集計装置、ログ集計方法およびログ集計プログラムを提供することを課題とする。
【課題を解決するための手段】
【００２４】
（１）上記の課題を解決するために、本発明に係るログ集計装置は、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するハンドオーバ実施要否判定部を備える、ことを特徴とする。
【００２５】
（２）本発明は、上記した（１）に記載のログ集計装置において、前記ピンポンハンドオーバであると判定された一連のハンドオーバにおけるあらかじめ定められた２以上のハンドオーバとして、前記ピンポンハンドオーバであると判定された一連のハンドオーバにおける最後から１番目のハンドオーバおよび最後から２番目のハンドオーバを用いる、ことを特徴とする。
【００２６】
（３）本発明は、上記した（１）に記載のログ集計装置において、前記ピンポンハンドオーバであると判定された一連のハンドオーバにおけるあらかじめ定められた２以上のハンドオーバとして、前記ピンポンハンドオーバであると判定された一連のハンドオーバにおける最初から１番目のハンドオーバおよび最初から２番目のハンドオーバを用いる、ことを特徴とする。
【００２７】
（４）本発明は、上記した（１）に記載のログ集計装置において、前記ピンポンハンドオーバであると判定された一連のハンドオーバにおけるあらかじめ定められた２以上のハンドオーバとして、前記ピンポンハンドオーバであると判定された一連のハンドオーバにおける複数回の連続するハンドオーバのそれぞれを用いる、ことを特徴とする。
【００２８】
（５）本発明は、上記した（１）に記載のログ集計装置において、前記ピンポンハンドオーバであると判定された一連のハンドオーバにおけるあらかじめ定められた２以上のハンドオーバとして、前記ピンポンハンドオーバであると判定された一連のハンドオーバにおける複数回のハンドオーバの全ての組み合わせを用いる、ことを特徴とする。
【００２９】
（６）本発明は、上記した（１）から上記した（５）のいずれか１つに記載のログ集計装置において、前記ハンドオーバ実施要否判定部は、前記端末のハンドオーバを実施した状況があらかじめ定められた条件を満たす場合として、前記端末のハンドオーバを実施した場所の距離があらかじめ定められた閾値以上である場合を用いる、ことを特徴とする。
【００３０】
（７）本発明は、上記した（１）から上記した（６）のいずれか１つに記載のログ集計装置において、前記ハンドオーバ実施要否判定部は、前記端末のハンドオーバを実施した状況があらかじめ定められた条件を満たす場合として、前記端末のハンドオーバを実施した間における当該端末の移動距離があらかじめ定められた閾値以上である場合を用いる、ことを特徴とする。
【００３１】
（８）本発明は、上記した（１）から上記した（７）のいずれか１つに記載のログ集計装置において、前記ハンドオーバ実施要否判定部は、前記端末のハンドオーバを実施した状況があらかじめ定められた条件を満たす場合として、前記端末のハンドオーバを実施した間における当該端末の移動速度があらかじめ定められた閾値以上である場合を用いる、ことを特徴とする。
【００３２】
（９）本発明は、上記した（１）から上記した（８）のいずれか１つに記載のログ集計装置において、前記ハンドオーバ実施要否判定部は、前記端末のハンドオーバを実施した状況があらかじめ定められた条件を満たす場合として、前記端末のハンドオーバを実施した場所で測定された所望電波の到来方向があらかじめ定められた閾値以上異なる場合を用いる、ことを特徴とする。
【００３３】
（１０）本発明は、上記した（１）から上記した（９）のいずれか１つに記載のログ集計装置において、前記ハンドオーバ実施要否判定部は、前記端末のハンドオーバを実施した状況があらかじめ定められた条件を満たす場合として、前記ピンポンハンドオーバであると判定された一連のハンドオーバにおけるハンドオーバの発生回数が２回以下である場合を用いる、ことを特徴とする。
【００３４】
（１１）本発明は、上記した（１）から上記した（１０）のいずれか１つに記載のログ集計装置において、前記あらかじめ定められたハンドオーバの現象として、一の基地局から他の基地局へハンドオーバした端末が一定時間内に元の前記一の基地局にハンドオーバで戻る現象を、ピンポンハンドオーバとする、ことを特徴とする。
【００３５】
（１２）本発明は、上記した（１）から上記した（１０）のいずれか１つに記載のログ集計装置において、前記あらかじめ定められたハンドオーバの現象として、所定の基地局間のハンドオーバが一定時間内に一定回数以上実行される現象を、ピンポンハンドオーバとする、ことを特徴とする。
【００３６】
（１３）上記の課題を解決するために、本発明に係るログ集計方法は、ハンドオーバ実施要否判定部が、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外する、ことを特徴とする。
【００３７】
（１４）上記の課題を解決するために、本発明に係るログ集計プログラムは、ハンドオーバ実施要否判定部が、あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するステップを、コンピュータに実行させるためのプログラムである。
【発明の効果】
【００３８】
本発明によれば、必然性のあるハンドオーバの失敗を抑制することができる。
【図面の簡単な説明】
【００３９】
【図１】本発明の一実施形態に係るピンポンハンドオーバログ集計装置の概略的な構成を示すブロック図である。
【図２】本発明の一実施形態に係るピンポンハンドオーバログ集計装置において行われる処理の手順の一例を示す図である。
【図３】セルインセルの場合のセルの境界におけるピンポンハンドオーバの例を示す図である。
【図４】ＬＴＥにおけるハンドオーバおよびその実施条件の例を示す図である。
【図５】ピンポンハンドオーバの例を示す図である。
【図６】セルインセルの場合におけるハンドオーバの一例を示す図である。
【発明を実施するための形態】
【００４０】
以下、図面を参照し、本発明の実施形態について説明する。
【００４１】
［以下の実施形態に共通な事項の説明］
本実施形態では、移動無線通信システムに本発明を適用した場合を示す。
本実施形態に係る移動無線通信システムは、複数の基地局と、これら複数の基地局を管理する集中サーバと、これら複数の基地局および集中サーバを通信可能に接続するネットワークと、各基地局の通信エリアにおいて当該各基地局と無線により通信する複数の端末（例えば、移動端末など）を有する。
【００４２】
また、本実施形態に係る移動無線通信システムは、複数の基地局のそれぞれごとに、ピンポンハンドオーバログ集計装置を有する。
ここで、本実施形態では、基地局ごとにピンポンハンドオーバログ集計装置を設置する構成を示すが、他の構成例として、複数の基地局を管理する集中サーバにピンポンハンドオーバログ集計装置を設置することもできる。
【００４３】
以下では、説明の便宜上、１個の基地局と１個のセルが対応しているとみなして説明する。
つまり、例えば、１個の基地局が１個（のみ）のセルを有する場合、または、１個の基地局が複数個のセルを有するが、その中の１個のセルに注目した場合を説明する。
ハンドオーバは、セルを単位として行われる。
具体例として、ＬＴＥでは、１個の基地局が３個のセルを形成して有する。
【００４４】
図１は、本発明の一実施形態に係るピンポン（Ｐｉｎｇ−Ｐｏｎｇ）ハンドオーバログ集計装置１の概略的な構成を示すブロック図である。
本実施形態に係るピンポンハンドオーバログ集計装置１は、入力部１１と、出力部１２と、記憶部１３と、ハンドオーバ実施要否判定部１４と、条件判定部１５と、ログ作成部１６と、を備える。
入力部１１は、外部の装置から情報を入力する。
出力部１２は、外部の装置に情報を出力する。
記憶部１３は、例えば、ハンドオーバ実施要否判定部１４や条件判定部１５により使用されるあらかじめ定められたプログラムや、各種の処理で使用される閾値など、各種の情報を記憶する。
【００４５】
ハンドオーバ実施要否判定部１４は、ハンドオーバの実施の要否の判定を行う。
条件判定部１５は、あらかじめ定められた判定の処理を行う。なお、他の構成例として、条件判定部１５は、ピンポンハンドオーバログ集計装置１に備えられずに、ピンポンハンドオーバログ集計装置１の外部の機能（例えば、基地局の機能）として備えられてもよい。
ログ作成部１６は、ログの作成を行う。
【００４６】
ピンポンハンドオーバログ集計装置１は、移動端末がハンドオーバを実施する時に取得されるＵＥヒストリーテーブル（過去の接続履歴）の情報を、入力パラメータとして、入力部１１により入力する。
【００４７】
ここで、ある移動端末に関するＵＥヒストリーテーブルの情報は、例えば、当該移動端末がハンドオーバを実施する時に、ハンドオーバの元となる基地局からハンドオーバの先となる基地局へ送信されて、このハンドオーバの先となる基地局により受信されて取得される。そして、この基地局により取得されたＵＥヒストリーテーブルの情報が、当該基地局から、ピンポンハンドオーバログ集計装置１（例えば、当該基地局に備えられたピンポンハンドオーバログ集計装置１）に入力される。
なお、他の構成例として、ＵＥヒストリーテーブルの情報が集中サーバにより取得されるような構成が用いられてもよい。
【００４８】
ピンポンハンドオーバログ集計装置１は、ピンポンハンドオーバの発生に関するログを、出力パラメータとして、出力部１２により出力すること、あるいは、ピンポンハンドオーバの発生に関するログを記憶部１３に記憶（記録）すること、のうちの一方または両方を行う。
【００４９】
ここで、ピンポンハンドオーバログ集計装置１からピンポンハンドオーバの発生に関するログを出力する先としては、様々なものが用いられてもよく、例えば、ＵＥヒストリーテーブルを入力した元の基地局（例えば、当該ピンポンハンドオーバログ集計装置１が備えられた基地局）、このような基地局の内部の他の装置、集中サーバなどのうちの１つ以上を用いることができる。
なお、ピンポンハンドオーバログ集計装置１は、必ずしも、ピンポンハンドオーバの発生に関するログを、作成した時点で、出力しなくてもよく、単に記憶してもよい。
【００５０】
図２は、本発明の一実施形態に係るピンポンハンドオーバログ集計装置１において行われる処理の手順の一例を示す図である。
まず、条件判定部１５が、ハンドオーバ要求（ＨＯ要求）であるハンドオーバリクエスト（ＨＯ  Ｒｅｑｕｅｓｔ）のメッセージが、移動端末から無線送信されて基地局により受信されたこと、を判定する（ステップＳ１）。
【００５１】
ここで、本実施形態では、ピンポンハンドオーバログ集計装置１が備えられた基地局が、移動端末からハンドオーバリクエストのメッセージを受信したことに応じて、当該移動端末に関するＵＥヒストリーテーブルの情報をピンポンハンドオーバログ集計装置１に出力する。これにより、ピンポンハンドオーバログ集計装置１は、基地局から移動端末に関するＵＥヒストリーテーブルの情報が入力部１１により入力されたことに応じて、当該基地局が当該移動端末からハンドオーバリクエストのメッセージを受信したことを把握（判定）することができる。
なお、他の構成例として、基地局（例えば、ピンポンハンドオーバログ集計装置１が備えられた基地局）が移動端末からハンドオーバリクエストのメッセージを受信したことをピンポンハンドオーバログ集計装置１に出力（通知）する構成とすることも可能である。
【００５２】
次に、条件判定部１５が、あらかじめ設定されたピンポンハンドオーバの定義に従って、ピンポンハンドオーバの条件（その定義の内容）を満たすか否かを判定する（ステップＳ２）。
ステップＳ２の処理における判定の結果、条件判定部１５によりピンポンハンドオーバの条件を満たさないと判定された場合には、本処理を終了する。
一方、ステップＳ２の処理における判定の結果、条件判定部１５によりピンポンハンドオーバの条件を満たすと判定された場合には、ステップＳ３の処理へ移行する。
【００５３】
ステップＳ３の処理では、ハンドオーバ実施要否判定部１４が、そのハンドオーバが必然性のあるハンドオーバであるか否かを判定する（ステップＳ３）。
ステップＳ３の処理における判定の結果、ハンドオーバ実施要否判定部１４によりそのハンドオーバが必然性のあるハンドオーバであると判定された場合には、そのハンドオーバをピンポンハンドオーバであるとは判定せずに、ピンポンハンドオーバに関するログの集計の対象から除外して、本処理を終了する。
一方、ステップＳ３の処理における判定の結果、ハンドオーバ実施要否判定部１４によりそのハンドオーバが必然性のあるハンドオーバではないと判定された場合には、そのハンドオーバをピンポンハンドオーバであると判定し、ピンポンハンドオーバに関するログの集計の対象として、ステップＳ４の処理へ移行する。
【００５４】
ステップＳ４の処理では、ログ作成部１６が、そのハンドオーバ（ピンポンハンドオーバであると判定したハンドオーバ）に関する情報に基づいて、ピンポンハンドオーバに関するログを作成する（ステップＳ４）。
そして、ログ作成部１６により作成されたピンポンハンドオーバに関するログ（ピンポンハンドオーバログ）について、例えば、記憶部１３に記憶（記録）すること、あるいは、出力部１２により外部に出力すること、のうちの一方または両方を行い（ステップＳ５）、本処理を終了する。
【００５５】
ここで、ピンポンハンドオーバに関するログとしては、様々な情報を有するログが用いられてもよく、例えば、対象となる移動端末の識別情報（ＩＤ）、ハンドオーバの元となるセルや基地局の識別情報（ＩＤ）、ハンドオーバの先となるセルや基地局の識別情報（ＩＤ）、各セルにおける接続時間（基地局との接続時間）などのうちの１つ以上を用いることができる。
【００５６】
［第１実施形態］（ピンポンハンドオーバの定義１を用いる場合）
本実施形態では、ピンポンハンドオーバの（定義１）を用いることが、ピンポンハンドオーバログ集計装置１（例えば、条件判定部１５など）に設定されている。
ピンポンハンドオーバの（定義１）では、ピンポンハンドオーバは、ある基地局（例えば、基地局＃１）から他の基地局へハンドオーバした移動端末が、一定時間内に、元の基地局（この例では、基地局＃１）へハンドオーバで戻る、ことが生じるハンドオーバである。
ここで、前記した一定時間としては、様々な値が設定されてもよい。
【００５７】
本実施形態に係るピンポンハンドオーバログ集計装置１において行われる動作の例を示す。
本実施形態では、図６に示されるセルインセル（Ｃｅｌｌ  ｉｎ  Ｃｅｌｌ）の場合におけるピンポンハンドオーバの一例を参照して、説明する。
図６は、第１の基地局（基地局＃１）と、第２の基地局（基地局＃２）と、基地局＃１の通信エリア（エリア＃１）と、基地局＃２の通信エリア（エリア＃２）と、移動端末１３０１を示す。
【００５８】
この例では、基地局＃１のカバレッジ範囲（エリア＃１）の内に、基地局＃２のカバレッジ範囲（エリア＃２）が含まれる。
この例では、移動端末１３０１が移動することで、基地局＃１のエリア＃１に含まれる基地局＃２のエリア＃２（比較的小さいセル）を短時間内に通過するときのハンドオーバの一例を示す。
【００５９】
ここで、説明の便宜上、最初に基地局＃１から基地局＃２へハンドオーバ（第１のハンドオーバと言う）を実施したときにおける移動端末１３０１の位置（場所）を「ポイントＡ」と呼び、次に基地局＃２から基地局＃１へハンドオーバ（第２のハンドオーバと言う）を実施したときにおける移動端末１３０１の位置（場所）を「ポイントＢ」と呼ぶ。
【００６０】
本実施形態では、ハンドオーバ実施要否判定部１４は、所定の値に関して、ポイントＡとポイントＢとが、あらかじめ定められた閾値以上離れていた場合には、そのハンドオーバは必然性のあるハンドオーバであると判定する。
【００６１】
ここで、ハンドオーバ実施要否判定部１４が必然性のあるハンドオーバであると判定する具体的な条件の例（判定条件１）〜（判定条件４）を示す。
ハンドオーバ実施要否判定部１４は、例えば、（判定条件１）〜（判定条件４）のうちで設定された任意のいずれか１つの条件を満たす場合に必然性のあるハンドオーバであると判定する構成とされてもよく、または、（判定条件１）〜（判定条件４）のうちで設定された任意のいずれか２つ以上の条件の組み合わせを満たす場合に必然性のあるハンドオーバであると判定する構成とされてもよい。
【００６２】
（判定条件１）として、ポイントＡとポイントＢとの距離（この例では、当該距離が所定の値となる）が閾値以上である場合に、必然性のあるハンドオーバであると判定する、という条件を用いることができる。
（判定条件２）として、ポイントＡからポイントＢへの移動端末１３０１の移動距離（この例では、当該移動距離が所定の値となる）が閾値以上である場合に、必然性のあるハンドオーバであると判定する、という条件を用いることができる。
【００６３】
（判定条件３）として、ポイントＡからポイントＢへの移動端末の移動速度（この例では、当該移動速度が所定の値となる）が閾値以上である場合に、必然性のあるハンドオーバであると判定する、という条件を用いることができる。なお、この移動速度としては、例えば、時間的に平均化した移動速度、最大の移動速度、または、最小の移動速度を用いることが可能である。
（判定条件４）として、ポイントＡで移動端末１３０１により測定した所望電波の到来方向とポイントＢで移動端末１３０１により測定した所望電波の到来方向との差（この例では、当該差が所定の値となる）が閾値以上である場合に、必然性のあるハンドオーバであると判定する、という条件を用いることができる。
【００６４】
ここで、移動端末の位置は、例えば、当該移動端末に備えられたＧＰＳ（Ｇｌｏｂａｌ  Ｐｏｓｉｔｉｏｎｉｎｇ  Ｓｙｓｔｅｍ）の機能により検出して、その検出結果を基地局に無線送信して通知することができ、または、他の任意の方法で検出されてもよい。
また、移動端末の移動距離や、移動端末の移動速度は、例えば、当該移動端末により検出して、その検出結果を基地局に無線送信して通知することができ、または、基地局が当該移動端末の位置の変化などに基づいて検出してもよく、または、他の任意の方法で検出されてもよい。
また、移動端末における所望電波の到来方向は、例えば、当該移動端末により検出して、その検出結果を基地局に無線送信して通知することができ、または、他の任意の方法で検出されてもよい。
基地局は、例えば、必要に応じて、移動端末の位置の情報、移動端末の移動距離の情報、移動端末の移動速度の情報、移動端末における所望電波の到来方向の情報のうちの１つ以上を、ピンポンハンドオーバログ集計装置１（例えば、当該基地局に備えられたピンポンハンドオーバログ集計装置１）に出力して通知する。
【００６５】
また、条件判定部１５によりピンポンハンドオーバであると判定されるまでに複数回のハンドオーバが実施される場合には、上記の（判定条件１）〜（判定条件４）を以下の（判定条件の適用例１）〜（判定条件の適用例４）のいずれかのように適用することができる。
【００６６】
（判定条件の適用例１）として、最後から１番目のハンドオーバと最後から２番目のハンドオーバについて、これらの発生箇所が上記の（判定条件１）〜（判定条件４）のうちで使用される１つ以上の条件を満たす場合に、必然性のあるハンドオーバであると判定する、という条件を用いることができる。具体的には、最後から１番目のハンドオーバが発生したときにおける移動端末の位置（ポイントＡ）と、最後から２番目のハンドオーバが発生したときにおける移動端末の位置（ポイントＢ）に基づいて、判定する。
【００６７】
（判定条件の適用例２）として、最初から１番目のハンドオーバと最初から２番目のハンドオーバについて、これらの発生箇所が上記の（判定条件１）〜（判定条件４）のうちで使用される１つ以上の条件を満たす場合に、必然性のあるハンドオーバであると判定する、という条件を用いることができる。具体的には、最初から１番目のハンドオーバが発生したときにおける移動端末の位置（ポイントＡ）と、最初から２番目のハンドオーバが発生したときにおける移動端末の位置（ポイントＢ）に基づいて、判定する。
【００６８】
（判定条件の適用例３）として、複数回の連続するハンドオーバのそれぞれについて、連続する２つのハンドオーバの発生箇所が上記の（判定条件１）〜（判定条件４）のうちで使用される１つ以上の条件を満たす場合に、必然性のあるハンドオーバであると判定する、という条件を用いることができる。具体的には、例えば、ハンドオーバの回数がＮ（Ｎは２以上の整数）回であるとして、ｎ（ｎ＝１、２、・・・、Ｎ）番目のハンドオーバが発生したときにおける移動端末の位置をＰ（ｎ）とすると、ｎ＝１、２、・・・、Ｎ−１の全てについて、Ｐ（ｎ）とＰ（ｎ＋１）との関係が条件を満たす場合に、必然性のあるハンドオーバであると判定する。
【００６９】
（判定条件の適用例４）として、複数回のハンドオーバの全ての組み合わせについて、２つのハンドオーバの発生箇所が上記の（判定条件１）〜（判定条件４）のうちで使用される１つ以上の条件を満たす場合に、必然性のあるハンドオーバであると判定する、という条件を用いることができる。具体的には、例えば、ハンドオーバの回数がＮ（Ｎは２以上の整数）回であるとして、ｎ（ｎ＝１、２、・・・、Ｎ）番目のハンドオーバが発生したときにおける移動端末の位置をＰ（ｎ）とすると、ｎ＝１、２、・・・、Ｎおよびｍ＝１、２、・・・、Ｎ（ただし、ｎ≠ｍ）の全ての組み合わせについて、Ｐ（ｎ）とＰ（ｍ）との関係が条件を満たす場合に、必然性のあるハンドオーバであると判定する。
【００７０】
なお、本実施形態のようにピンポンハンドオーバの（定義１）を用いる場合においても、例えば、第２実施形態で示す（判定条件５）が用いられてもよい。
【００７１】
以上のように、本実施形態に係る移動無線通信システムにおけるピンポンハンドオーバログ集計装置１では、ピンポンハンドオーバ（不必要なハンドオーバ）の発生に関するログを集計する場合に、例えば、ピンポンハンドオーバの発生の検知において、移動端末の移動に伴う必然性のあるハンドオーバをログの集計対象から除外することで、ピンポンハンドオーバの抑制制御が引き起こす、必然性のあるハンドオーバのハンドオーバ失敗を未然に防ぐ（あるいは、低減して抑制する）ことができる。
【００７２】
［第１実施形態（ピンポンハンドオーバの（定義１）を用いる場合）に関する構成例］
（構成例１−１）ある基地局から他の基地局へハンドオーバした移動端末が、一定時間内に元の基地局にハンドオーバで戻る現象をピンポンハンドオーバとしてログ集計するピンポンハンドオーバログ集計装置１において、ピンポンハンドオーバであると判定された一連のハンドオーバにおける最後から１、２番目のハンドオーバについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００７３】
（構成例１−２）ある基地局から他の基地局へハンドオーバした移動端末が、一定時間内に元の基地局にハンドオーバで戻る現象をピンポンハンドオーバとしてログ集計するピンポンハンドオーバログ集計装置１において、ピンポンハンドオーバであると判定された一連のハンドオーバにおける最初から１、２番目のハンドオーバについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００７４】
（構成例１−３）ある基地局から他の基地局へハンドオーバした移動端末が、一定時間内に元の基地局にハンドオーバで戻る現象をピンポンハンドオーバとしてログ集計するピンポンハンドオーバログ集計装置１において、ピンポンハンドオーバであると判定された一連のハンドオーバにおける複数回の連続するハンドオーバのそれぞれについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００７５】
（構成例１−４）ある基地局から他の基地局へハンドオーバした移動端末が、一定時間内に元の基地局にハンドオーバで戻る現象をピンポンハンドオーバとしてログ集計するピンポンハンドオーバログ集計装置１において、ピンポンハンドオーバであると判定された一連のハンドオーバにおける複数回のハンドオーバの全ての組み合わせについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００７６】
（構成例１−５）上記した（構成例１−１）から上記した（構成例１−４）のいずれか１つに係るピンポンハンドオーバログ集計装置１において、ハンドオーバ実施要否判定部１４は、ハンドオーバを実施した場所の距離が閾値以上である場合に、ハンドオーバを実施した場所が閾値（前記の閾値と異なってもよい）以上離れていると判定する。
【００７７】
（構成例１−６）上記した（構成例１−１）から上記した（構成例１−４）のいずれか１つに係るピンポンハンドオーバログ集計装置１において、ハンドオーバ実施要否判定部１４は、ハンドオーバを実施した間の移動端末の移動距離が閾値以上である場合に、ハンドオーバを実施した場所が閾値（前記の閾値と異なってもよい）以上離れていると判定する。
【００７８】
（構成例１−７）上記した（構成例１−１）から上記した（構成例１−４）のいずれか１つに係るピンポンハンドオーバログ集計装置１において、ハンドオーバ実施要否判定部１４は、ハンドオーバを実施した間の移動端末の移動速度が閾値以上である場合に、ハンドオーバを実施した場所が閾値（前記の閾値と異なってもよい）以上離れていると判定する。
【００７９】
（構成例１−８）上記した（構成例１−１）から上記した（構成例１−４）のいずれか１つに係るピンポンハンドオーバログ集計装置１において、ハンドオーバ実施要否判定部１４は、ハンドオーバを実施した場所で測定した所望電波の到来方向が閾値以上異なる場合に、ハンドオーバを実施した場所が閾値（前記の閾値と異なってもよい）以上離れていると判定する。
【００８０】
［第２実施形態］（ピンポンハンドオーバの定義２を用いる場合）
本実施形態では、ピンポンハンドオーバの（定義２）を用いることが、ピンポンハンドオーバログ集計装置１（例えば、条件判定部１５など）に設定されている。
ピンポンハンドオーバの（定義２）では、ピンポンハンドオーバは、ある基地局（例えば、基地局＃１）と他の基地局（例えば、基地局＃２）との間のハンドオーバが、一定時間内に、一定回数以上、実行される、ことが生じるハンドオーバである。
ここで、前記した一定時間や、前記した一定回数としては、それぞれ、様々な値が設定されてもよい。
【００８１】
本実施形態では、一構成例として、ハンドオーバ実施要否判定部１４は、第１実施形態の場合と同様に、第１実施形態で示した（判定条件１）〜（判定条件４）や（判定条件の適用例１）〜（判定条件の適用例４）を用いることができる。
【００８２】
さらに、本実施形態では、他の構成例に係る（判定条件５）として、ハンドオーバ実施要否判定部１４は、ピンポンハンドオーバであると判定された一連のハンドオーバについて、２個の基地局（例えば、基地局＃１と基地局＃２）の間におけるハンドオーバの回数が２回以下である場合に、必然性のあるハンドオーバであると判定する、という条件を用いることができる。
【００８３】
ここで、このような（判定条件５）は、基地局の通信エリアの境界に滞在する移動端末が無線環境の瞬時的な変動に追従することで発生するピンポンハンドオーバについては、定性的に３回以上のハンドオーバが発生する、ことに基づいている。
これについて、図３を参照して説明する。
【００８４】
図３は、セルインセル（Ｃｅｌｌ  ｉｎ  Ｃｅｌｌ）の場合のセルの境界におけるピンポンハンドオーバの例を示す図である。
図３は、第１の基地局（基地局＃１）と、第２の基地局（基地局＃２）と、基地局＃１の通信エリア（エリア＃１）と、基地局＃２の通信エリア（エリア＃２）と、移動端末１００１を示す。
【００８５】
この例では、基地局＃１のカバレッジ範囲（エリア＃１）の内に、基地局＃２のカバレッジ範囲（エリア＃２）が含まれる。
この例では、移動端末１００１が移動することで、基地局＃１のエリア＃１に含まれる基地局＃２のエリア＃２（比較的小さいセル）を短時間内に通過するときのハンドオーバとして、基地局＃１と基地局＃２との間でハンドオーバを繰り返す端末移動の一例を示す。
このような場合には、例えば、基地局＃１、＃２のエリア＃１、＃２の境界に滞在する移動端末１００１が無線環境の瞬時的な変動に追従することで発生するピンポンハンドオーバについては、定性的に３回以上のハンドオーバが発生する。
【００８６】
以上のように、本実施形態に係る移動無線通信システムにおけるピンポンハンドオーバログ集計装置１では、ピンポンハンドオーバ（不必要なハンドオーバ）の発生に関するログを集計する場合に、例えば、ピンポンハンドオーバの発生の検知において、移動端末の移動に伴う必然性のあるハンドオーバをログの集計対象から除外することで、ピンポンハンドオーバの抑制制御が引き起こす、必然性のあるハンドオーバのハンドオーバ失敗を未然に防ぐ（あるいは、低減して抑制する）ことができる。
【００８７】
［第２実施形態（ピンポンハンドオーバの（定義２）を用いる場合）に関する構成例］
（構成例２−１）ある基地局間のハンドオーバが一定時間内に一定回数以上実行される現象をピンポンハンドオーバとしてログ集計するピンポンハンドオーバログ集計装置１において、ピンポンハンドオーバであると判定された一連のハンドオーバにおける最後から１、２番目のハンドオーバについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００８８】
（構成例２−２）ある基地局間のハンドオーバが一定時間内に一定回数以上実行される現象をピンポンハンドオーバとしてログ集計するピンポンハンドオーバログ集計装置１において、ピンポンハンドオーバであると判定された一連のハンドオーバにおける最初から１、２番目のハンドオーバについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００８９】
（構成例２−３）ある基地局間のハンドオーバが一定時間内に一定回数以上実行される現象をピンポンハンドオーバとしてログ集計するピンポンハンドオーバログ集計装置１において、ピンポンハンドオーバであると判定された一連のハンドオーバにおける複数回の連続するハンドオーバのそれぞれについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００９０】
（構成例２−４）ある基地局間のハンドオーバが一定時間内に一定回数以上実行される現象をピンポンハンドオーバとしてログ集計するピンポンハンドオーバログ集計装置１において、ピンポンハンドオーバであると判定された一連のハンドオーバにおける複数回のハンドオーバの全ての組み合わせについて、ハンドオーバを実施した場所（移動端末の場所）が閾値以上離れている場合に、ハンドオーバ実施要否判定部１４により、これらのハンドオーバをピンポンハンドオーバログ集計対象から除外する。
【００９１】
（構成例２−５）上記した（構成例２−１）から上記した（構成例２−４）のいずれか１つに係るピンポンハンドオーバログ集計装置１において、ハンドオーバ実施要否判定部１４は、ハンドオーバを実施した場所の距離が閾値以上である場合に、ハンドオーバを実施した場所が閾値（前記の閾値と異なってもよい）以上離れていると判定する。
【００９２】
（構成例２−６）上記した（構成例２−１）から上記した（構成例２−４）のいずれか１つに係るピンポンハンドオーバログ集計装置１において、ハンドオーバ実施要否判定部１４は、ハンドオーバを実施した間の移動端末の移動距離が閾値以上である場合に、ハンドオーバを実施した場所が閾値（前記の閾値と異なってもよい）以上離れていると判定する。
【００９３】
（構成例２−７）上記した（構成例２−１）から上記した（構成例２−４）のいずれか１つに係るピンポンハンドオーバログ集計装置１において、ハンドオーバ実施要否判定部１４は、ハンドオーバを実施した間の移動端末の移動速度が閾値以上である場合に、ハンドオーバを実施した場所が閾値（前記の閾値と異なってもよい）以上離れていると判定する。
【００９４】
（構成例２−８）上記した（構成例２−１）から上記した（構成例２−４）のいずれか１つに係るピンポンハンドオーバログ集計装置１において、ハンドオーバ実施要否判定部１４は、ハンドオーバを実施した場所で測定した所望電波の到来方向が閾値以上異なる場合に、ハンドオーバを実施した場所が閾値（前記の閾値と異なってもよい）以上離れていると判定する。
【００９５】
（構成例２−９）ある基地局間のハンドオーバが一定時間内に一定回数以上実行される現象をピンポンハンドオーバとしてログ集計するピンポンハンドオーバログ集計装置１において、ピンポンハンドオーバであると判定された一連のハンドオーバの発生回数（ハンドオーバが発生した回数）が２回以下である場合に、ハンドオーバ実施要否判定部１４により、これらのハンドオーバをピンポンハンドオーバログ集計対象から除外する。
【００９６】
［以上の実施形態に関する構成例］
以上の実施形態に関する構成例を示す。この構成例は、以上の実施形態（第１実施形態〜第２実施形態）に係る構成を別の表現でとらえたものである。
（構成例１）あらかじめ定められたハンドオーバの現象をピンポンハンドオーバとして、ピンポンハンドオーバであると判定された一連のハンドオーバにおけるあらかじめ定められた２以上のハンドオーバについて、端末のハンドオーバを実施した状況があらかじめ定められた条件を満たす場合に、これらのハンドオーバをピンポンハンドオーバに関するログの集計対象から除外するハンドオーバ実施要否判定部１４を備える、ことを特徴とするログ集計装置（一例として、ピンポンハンドオーバログ集計装置１）、である。
ここで、端末としては、例えば、移動端末が用いられる。
【００９７】
（構成例２）前記ピンポンハンドオーバであると判定された一連のハンドオーバにおけるあらかじめ定められた２以上のハンドオーバとして、前記ピンポンハンドオーバであると判定された一連のハンドオーバにおける最後から１番目のハンドオーバおよび最後から２番目のハンドオーバを用いる、ことを特徴とする（構成例１）に記載のログ集計装置、である。
【００９８】
（構成例３）前記ピンポンハンドオーバであると判定された一連のハンドオーバにおけるあらかじめ定められた２以上のハンドオーバとして、前記ピンポンハンドオーバであると判定された一連のハンドオーバにおける最初から１番目のハンドオーバおよび最初から２番目のハンドオーバを用いる、ことを特徴とする（構成例１）に記載のログ集計装置、である。
【００９９】
（構成例４）前記ピンポンハンドオーバであると判定された一連のハンドオーバにおけるあらかじめ定められた２以上のハンドオーバとして、前記ピンポンハンドオーバであると判定された一連のハンドオーバにおける複数回の連続するハンドオーバのそれぞれを用いる、ことを特徴とする（構成例１）に記載のログ集計装置、である。
【０１００】
（構成例５）前記ピンポンハンドオーバであると判定された一連のハンドオーバにおけるあらかじめ定められた２以上のハンドオーバとして、前記ピンポンハンドオーバであると判定された一連のハンドオーバにおける複数回のハンドオーバの全ての組み合わせを用いる、ことを特徴とする（構成例１）に記載のログ集計装置、である。
【０１０１】
（構成例６）前記ハンドオーバ実施要否判定部は、前記端末のハンドオーバを実施した状況があらかじめ定められた条件を満たす場合として、前記端末のハンドオーバを実施した場所の距離があらかじめ定められた閾値以上である場合を用いる、ことを特徴とする（構成例１）から（構成例５）のいずれか１つに記載のログ集計装置、である。
ここで、前記した閾値としては、様々な値が用いられてもよい。
【０１０２】
（構成例７）前記ハンドオーバ実施要否判定部は、前記端末のハンドオーバを実施した状況があらかじめ定められた条件を満たす場合として、前記端末のハンドオーバを実施した間における当該端末の移動距離があらかじめ定められた閾値以上である場合を用いる、ことを特徴とする（構成例１）から（構成例６）のいずれか１つに記載のログ集計装置、である。
ここで、前記した閾値としては、様々な値が用いられてもよい。
【０１０３】
（構成例８）前記ハンドオーバ実施要否判定部は、前記端末のハンドオーバを実施した状況があらかじめ定められた条件を満たす場合として、前記端末のハンドオーバを実施した間における当該端末の移動速度があらかじめ定められた閾値以上である場合を用いる、ことを特徴とする（構成例１）から（構成例７）のいずれか１つに記載のログ集計装置、である。
ここで、前記した移動速度としては、例えば、時間的に平均化した移動速度、最大の移動速度、または、最小の移動速度を用いることが可能である。
また、前記した閾値としては、様々な値が用いられてもよい。
【０１０４】
（構成例９）前記ハンドオーバ実施要否判定部は、前記端末のハンドオーバを実施した状況があらかじめ定められた条件を満たす場合として、前記端末のハンドオーバを実施した場所で測定された所望電波の到来方向があらかじめ定められた閾値以上異なる場合を用いる、ことを特徴とする（構成例１）から（構成例８）のいずれか１つに記載のログ集計装置、である。
ここで、前記した閾値としては、様々な値が用いられてもよい。
また、前記した所望電波としては、任意の電波が用いられてもよく、例えば、端末が無線通信することが可能な基地局（例えば、同一の基地局）からの電波（無線信号）を用いることができる。
【０１０５】
（構成例１０）前記ハンドオーバ実施要否判定部は、前記端末のハンドオーバを実施した状況があらかじめ定められた条件を満たす場合として、前記ピンポンハンドオーバであると判定された一連のハンドオーバにおけるハンドオーバの発生回数が２回以下である場合を用いる、ことを特徴とする（構成例１）から（構成例９）のいずれか１つに記載のログ集計装置、である。
【０１０６】
（構成例１１）前記あらかじめ定められたハンドオーバの現象として、一の基地局から他の基地局へハンドオーバした端末が一定時間内に元の前記一の基地局にハンドオーバで戻る現象を、ピンポンハンドオーバとする、ことを特徴とする（構成例１）から（構成例１０）のいずれか１つに記載のログ集計装置、である。
ここで、前記した一定時間としては、様々な値が用いられてもよい。
【０１０７】
（構成例１２）前記あらかじめ定められたハンドオーバの現象として、所定の基地局間のハンドオーバが一定時間内に一定回数以上実行される現象を、ピンポンハンドオーバとする、ことを特徴とする（構成例１）から（構成例１０）のいずれか１つに記載のログ集計装置、である。
ここで、前記した所定の基地局間としては、例えば、ある任意の基地局と他の基地局との間となる。
また、前記した一定時間としては、様々な値が用いられてもよい。
また、前記した一定回数としては、様々な値が用いられてもよい。
【０１０８】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【０１０９】
また、以上に示した各実施形態に係る各装置の機能（例えば、ピンポンハンドオーバログ集計装置１などの機能）を実現するためのプログラムをコンピュータ読み取り可能な記録媒体に記録して、この記録媒体に記録されたプログラムをコンピュータシステムに読み込ませ、実行することにより、処理を行ってもよい。
【０１１０】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１１１】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１１２】
１…ピンポンハンドオーバログ集計装置、１１…入力部、１２…出力部、１３…記憶部、１４…ハンドオーバ実施要否判定部、１５…条件判定部、１６…ログ作成部、１００１、１１１１−１、１１１１−２、１２０１、１３０１…移動端末、１１０１、１１０２…特性、１２１１…ＵＥヒストリーテーブル
【図１】
2013197969.tif 000004
【図２】
2013197969.tif 000005
【図３】
2013197969.tif 000006
【図４】
2013197969.tif 000007
【図５】
2013197969.tif 000008
【図６】
2013197969.tif 000009